(57)【要約】【課題】会議において提示されたドキュメントを容易に確認できる会議システムを提供する。【解決手段】表示装置３０と、表示装置３０に対する表示内容を制御する制御装置１０と、を含み、制御装置１０は、会議において会議参加者のうちから注目参加者を選択し、前記注目参加者が提示したドキュメントを提示ドキュメントとして提示順に記録し、前記提示ドキュメントの少なくとも一部を、表示装置３０の少なくとも一部である所定のアーカイブ表示領域に、前記提示順に基づいて表示するよう制御する会議システムである。【選択図】図１
2007179083.tif 000002
【特許請求の範囲】
【請求項１】
表示装置と、前記表示装置に対する表示内容を制御する制御装置と、を含む会議システムであって、
前記制御装置は、
会議において会議参加者のうちから注目参加者を選択する注目参加者選択手段と、
前記注目参加者が提示したドキュメントを提示ドキュメントとして提示順に記録する提示ドキュメント記録手段と、
前記提示ドキュメントの少なくとも一部を、前記表示装置の少なくとも一部である所定のアーカイブ表示領域に、前記提示順に基づいて表示するよう制御する提示ドキュメント表示手段と、
を含むことを特徴とする会議システム。
【請求項２】
請求項１に記載の会議システムにおいて、
前記提示ドキュメント記録手段は、前記注目参加者がドキュメントを提示した提示時間が所定の閾値以上の場合に、当該ドキュメントを前記提示ドキュメントとして記録する
ことを特徴とする会議システム。
【請求項３】
請求項１又は２に記載の会議システムにおいて、
前記表示装置とは異なる会議用表示装置をさらに含み、
前記提示ドキュメント記録手段は、ユーザの指示に基づいて、前記会議用表示装置に表示されたドキュメントを提示ドキュメントとして記録する
ことを特徴とする会議システム。
【請求項４】
請求項１乃至３のいずれか一項に記載の会議システムにおいて、
前記提示ドキュメント表示手段は、ユーザの指示に応じて、前記注目参加者ごとにソートした順序に並べ替えて提示ドキュメントの少なくとも一部を表示するよう制御する
ことを特徴とする会議システム。
【請求項５】
表示装置を含む会議システムの制御方法であって、
会議において会議参加者のうちから注目参加者を選択するステップと、
前記注目参加者が提示したドキュメントを提示ドキュメントとして提示順に記録するステップと、
前記提示ドキュメントの少なくとも一部を、前記表示装置の少なくとも一部である所定のアーカイブ表示領域に、前記提示順に基づいて表示するよう制御するステップと、
を含むことを特徴とする会議システムの制御方法。
【請求項６】
表示装置を含む会議システムを制御するプログラムであって、
会議において会議参加者のうちから注目参加者を選択する注目参加者選択手段、
前記注目参加者が提示したドキュメントを提示ドキュメントとして提示順に記録する提示ドキュメント記録手段、及び
前記提示ドキュメントの少なくとも一部を、前記表示装置の少なくとも一部である所定のアーカイブ表示領域に、前記提示順に基づいて表示するよう制御する提示ドキュメント表示手段、
としてコンピュータを機能させることを特徴とするプログラム。
【発明の詳細な説明】
【技術分野】
【０００１】
本発明は、会議や講演などにおいて用いられる、表示装置を備えた会議システム、その制御方法及びプログラムに関する。
【背景技術】
【０００２】
一般に、会議や講演などにおいては、参加者が視認できる表示装置に発表内容を表示させたり、参加者に資料を配布したりすることが行われている。会議参加者は、単に発言者の発言を聞くだけでなく、このような表示装置に対する表示内容や配布資料などのドキュメントを参照することにより、会議の内容を理解している。
【特許文献１】特開２００４‐１９９５９２号公報
【特許文献２】特開２００４‐１６５９４６号公報
【発明の開示】
【発明が解決しようとする課題】
【０００３】
しかしながら、このような会議においては、多数の資料が用いられる場合がある。また、資料は必ずしも用意された順序で用いられるとは限らず、例えば一つのファイルとして綴じられた資料が、順不同で用いられる場合もある。このような場合、会議参加者はこれまでの会議の進行を振り返るために、会議の途中でこれまで用いられたドキュメントの内容を確認したいと思っても、容易にドキュメントを発見することができず、不便である。
【０００４】
また、発言者が表示装置にドキュメントの内容を表示させながら会議を進行する場合、一旦表示装置に表示されたドキュメントの内容が他のドキュメントに差し替えられると、会議参加者はそれまでに表示装置に表示されたドキュメントの内容を確認することができず、これまでの会議の進行を振り返ることができない。
【０００５】
なお、会議において、用意された資料を関連性のあるドキュメントの情報とともに記憶する技術がある（特許文献１参照）。しかしながら、この技術を用いても、会議の実際の進行状況を会議中に振り返ることはできない。また、ウェブ会議における発言情報、表示資料情報を議事録として保存する技術がある（特許文献２参照）。しかし、この技術においても、会議において提示されたドキュメントを会議参加者が容易に確認できる態様で表示することについては、考慮されていない。
【０００６】
本発明は上記実情に鑑みてなされたものであって、その目的の一つは、会議において提示されたドキュメントを容易に確認できる会議システム、その制御方法及びプログラムを提供することにある。
【課題を解決するための手段】
【０００７】
上記課題を解決するための本発明に係る会議システムは、表示装置と、前記表示装置に対する表示内容を制御する制御装置と、を含む会議システムであって、前記制御装置は、会議において会議参加者のうちから注目参加者を選択する注目参加者選択手段と、前記注目参加者が提示したドキュメントを提示ドキュメントとして提示順に記録する提示ドキュメント記録手段と、前記提示ドキュメントの少なくとも一部を、前記表示装置の少なくとも一部である所定のアーカイブ表示領域に、前記提示順に基づいて表示するよう制御する提示ドキュメント表示手段と、を含むことを特徴とする。
【０００８】
これにより、会議において提示されたドキュメントの内容を所定のアーカイブ表示領域に提示順に表示することで、会議において提示されたドキュメントを会議参加者に容易に把握させることができる。
【０００９】
また、上記会議システムにおいて、前記提示ドキュメント記録手段は、前記注目参加者がドキュメントを提示した提示時間が所定の閾値以上の場合に、当該ドキュメントを前記提示ドキュメントとして記録することとしてもよい。
【００１０】
さらに、上記会議システムは、前記表示装置とは異なる会議用表示装置をさらに含み、前記提示ドキュメント記録手段は、ユーザの指示に基づいて、前記会議用表示装置に表示されたドキュメントを提示ドキュメントとして記録することとしてもよい。
【００１１】
さらに、上記会議システムにおいて、前記提示ドキュメント表示手段は、ユーザの指示に応じて、前記注目参加者ごとにソートした順序に並べ替えて提示ドキュメントの少なくとも一部を表示するよう制御することとしてもよい。
【００１２】
また、本発明に係る会議システムの制御方法は、表示装置を含む会議システムの制御方法であって、会議において会議参加者のうちから注目参加者を選択するステップと、前記注目参加者が提示したドキュメントを提示ドキュメントとして提示順に記録するステップと、前記提示ドキュメントの少なくとも一部を、前記表示装置の少なくとも一部である所定のアーカイブ表示領域に、前記提示順に基づいて表示するよう制御するステップと、を含むことを特徴とする。
【００１３】
また、本発明に係るプログラムは、表示装置を含む会議システムを制御するプログラムであって、会議において会議参加者のうちから注目参加者を選択する注目参加者選択手段、前記注目参加者が提示したドキュメントを提示ドキュメントとして提示順に記録する提示ドキュメント記録手段、及び前記提示ドキュメントの少なくとも一部を、前記表示装置の少なくとも一部である所定のアーカイブ表示領域に、前記提示順に基づいて表示するよう制御する提示ドキュメント表示手段、としてコンピュータを機能させることを特徴とする。
【発明を実施するための最良の形態】
【００１４】
以下、本発明の実施の形態について、図面を参照しながら説明する。
【００１５】
図１は、本発明の一実施形態に係る会議システム１の一例を表す概要図である。会議システム１は、図１に示すように、制御装置１０、会議用表示装置２０、及びアーカイブ表示装置３０を含んで構成されている。
【００１６】
制御装置１０は、例えば一般的なサーバコンピュータ等であって、図２に示すように制御部１１、記憶部１２、表示制御部１３及び通信部１４を含んで構成されている。
【００１７】
ここで、制御部１１は、ＣＰＵ等であって、記憶部１２に格納されたプログラムに従って動作する。特に本実施の形態においては、この制御部１１は、会議における提示ドキュメントのデータを取得し、取得した提示ドキュメントの内容をアーカイブ表示装置３０に表示させる処理を行う。本実施の形態において制御部１１が実行する処理の詳細については、後に詳しく述べる。
【００１８】
記憶部１２は、制御部１１によって実行されるプログラムを保持するコンピュータで読み取り可能な記憶媒体であって、ＲＡＭやＲＯＭ等のメモリ素子とディスクデバイス等との少なくとも一方を含んで構成されている。また、記憶部１２は、制御部１１のワークメモリとしても動作する。
【００１９】
表示制御部１３は、制御部１１から入力される指示に従って会議用表示装置２０及びアーカイブ表示装置３０を制御し、制御部１１から指示されたデータを表示出力させる。
【００２０】
通信部１４は、ネットワークインタフェースであり、通信ネットワークを介して会議参加者が利用する情報端末や、ファイルサーバ等の他のコンピュータとの間でデータの送受信を行う。
【００２１】
会議用表示装置２０は、会議において提示されるドキュメントが表示される表示装置であって、会議参加者が閲覧可能な状態で設置されている。会議用表示装置２０は、例えば液晶やＣＲＴを用いたディスプレイ装置であってもよいし、プロジェクタとスクリーンとを備えてなるプロジェクションディスプレイであってもよい。なお、会議用表示装置２０は、複数あってもよい。図１の例においては、会議用表示装置２０がテーブル型のディスプレイ装置と壁面に設置されたディスプレイ装置からなる場合について図示している。
【００２２】
ここでは、会議用表示装置２０は、会議参加者共通の情報を表示する共通表示領域Ａ１と、会議参加者ごとに、各々の会議参加者が閲覧したい情報を表示させることのできる個人表示領域Ａ２とを含んでいることとする。共通表示領域Ａ１は、例えばテーブル型のディスプレイ装置の中央や壁面に設置されたディスプレイ装置など、会議参加者の全員が閲覧できる位置に配置され、個人表示領域Ａ２は、テーブル型のディスプレイ装置の周辺部など、各会議参加者の手の届きやすい位置に配置されている。
【００２３】
この会議用表示装置２０は、制御装置１０からの指示に従って情報を表示する。また、本実施の形態においては、会議用表示装置２０の表示面にオーバレイして、会議参加者の指やペンなどを検知するタッチセンサを備えているものとする。これにより、会議参加者は、例えば会議用表示装置２０の自分用の個人表示領域Ａ２に対して、所定の処理内容やデータ等を表すメニューアイコン等を表示させ、アイコンの表示された位置に指で触れるなどの動作により、制御装置１０に対して指示操作を行うことができる。
【００２４】
また、会議用表示装置２０は、ＩＣタグリーダなどの情報読み取り装置を備えていてもよい。これにより、会議用表示装置２０は、例えば紙媒体の資料に添付されたＩＣタグに含まれるドキュメント識別情報を読み取ることで、紙媒体の資料を識別することができる。さらに、会議参加者の所持するＩＣカード等に添付されたＩＣタグに含まれるユーザ識別情報を読み取ることで、会議参加者を識別することができる。
【００２５】
アーカイブ表示装置３０は、表示画面上に後述するアーカイブ表示領域Ａ０を含んだ表示装置である。アーカイブ表示装置３０は、会議用表示装置２０と同様に、会議参加者が閲覧可能な状態で設置されており、制御装置１０からの指示に従って情報を表示する。アーカイブ表示装置３０も、例えば液晶やＣＲＴを用いたディスプレイ装置であってもよいし、プロジェクタとスクリーンとを備えてなるプロジェクションディスプレイであってもよい。図１の例においては、アーカイブ表示装置３０は、会議室の壁面のうち、比較的上部に設置されており、会議室を取り囲むように四方の壁面に沿って４つの横長の表示面を有している。会議参加者は、会議室の壁面を見渡すことで、容易にアーカイブ表示装置３０に表示された情報を閲覧できる。
【００２６】
次に、本実施の形態において制御装置１０が実行する機能について説明する。制御装置１０は、機能的には、図３に示すように、注目参加者選択部５１、提示ドキュメント記録部５２及び提示ドキュメント表示部５３を含んで構成されている。これらの機能は、記憶部１２に記憶されたプログラムを制御部１１が実行することで実現できる。
【００２７】
注目参加者選択部５１は、会議に参加している会議参加者のうち、ドキュメントを提示する注目参加者を選択する。具体的には、例えば個人表示領域Ａ２に対する指示操作等により、ドキュメントを共通表示領域Ａ１に表示させる指示を行った会議参加者を、注目参加者として選択する。また、紙媒体の資料に添付されたＩＣタグを、ＩＣタグリーダに読み取らせる指示を行った会議参加者を注目参加者として選択してもよい。
【００２８】
なお、注目参加者選択部５１は、注目参加者を個人表示領域Ａ２の位置で識別してもよいし、ＩＣタグリーダにより会議参加者が所持するＩＣカード等からユーザ識別情報を読み取ることで特定してもよい。
【００２９】
提示ドキュメント記録部５２は、注目参加者選択部５１が選択した注目参加者が、共通表示領域Ａ１に表示させる指示操作等により、会議において提示したドキュメントのデータを取得する。そして、取得した提示ドキュメントの画像データを、提示した注目参加者及び提示した順序に関する情報と対応づけて記憶部１２に記録する。提示した順序に関する情報は、単に会議において提示された順に割りあてられた一連番号等であってもよいし、提示された時刻の情報（提示時刻情報）であってもよい。図４は、提示ドキュメント記録部５２が記録する提示ドキュメントテーブルの一例を表す図である。図４（ａ）の例においては、提示ドキュメントを表す画像データとして、画像データＩ１，Ｉ２及びＩ３の情報が、提示順序の情報や注目参加者の情報などと対応づけて記録されている。
【００３０】
具体的に、提示ドキュメント記録部５２は、会議参加者が指定したドキュメントのデータを、例えば以下のようにして取得する。すなわち、通信ネットワークを介して、例えば所定のファイルサーバや、会議参加者が持ち込んで通信ネットワークに接続した情報端末等にアクセスする。そして、ファイルサーバや情報端末等に記憶されているファイルをダウンロードすることで、通信部１５を経由して提示ドキュメントのデータを取得する。なお、取得したデータのファイル名及び保管場所の情報は、図４（ａ）の例に示されるように、オリジナルデータのファイル名として記録される。
【００３１】
なお、提示ドキュメントが紙媒体の資料である場合には、提示ドキュメント記録部５２は、紙媒体の資料に添付されたＩＣタグをＩＣタグリーダに読み取らせることにより、ドキュメント識別情報を取得する。そして、取得したドキュメント識別情報に基づいて、通信ネットワークを介してファイルサーバ等にアクセスし、予め記憶されている提示ドキュメントのデータを取得する。
【００３２】
あるいは、提示ドキュメント記録部５２は、例えばＵＳＢメモリやＣＤ−Ｒなどの、コンピュータで読み取り可能な媒体に記憶されたデータを、媒体読み取り装置（不図示）に読み取らせることで、提示ドキュメントのデータを取得してもよい。
【００３３】
また、提示ドキュメント記録部５２は、会議用表示装置２０に表示されたドキュメントに対して、会議参加者がタッチセンサを利用するなどして書き加えた情報を取得してもよい。あるいは、例えばホワイトボード等に書き込まれた情報を画像読み取り装置（不図示）に読み取らせることで、提示ドキュメントを取得してもよい。
【００３４】
さらに、提示ドキュメント記録部５２は、ドキュメントの内容が提示された時間に関する情報（提示時間情報）を取得し、提示ドキュメントのデータと対応づけて記録してもよい。また、ドキュメントの内容が提示された提示時間が所定の閾値を超える場合に、提示ドキュメントのデータを取得することとし、提示時間が所定の閾値以下の場合には提示ドキュメントとしないこととしてもよい。これにより、例えば会議用表示装置２０に表示されたものの、実際には会議においてほとんど議論されていないようなドキュメントについては、後述する提示ドキュメント表示部５３による表示の対象からは除外することができる。なお、提示時間情報は、共通表示領域Ａ１にドキュメントの内容が表示された表示時間に基づいて決定してもよいし、次のドキュメントが提示されるまでの時間間隔に基づいて決定してもよい。
【００３５】
また、会議において１つのドキュメントが複数回提示された場合、提示ドキュメント記録部５２は、当該ドキュメントの画像データを、最初に提示された際に提示ドキュメントテーブルに追加し、次回以降に提示された場合には追加しないこととしてもよい。あるいは、複数回提示されるごとに、同じ画像データの情報を提示ドキュメントテーブルに追加することとしてもよい。この方法によれば、単に会議に使用されたドキュメントをまとめて保存し、表示させる場合とは異なり、実際に会議において提示された状況に沿ってドキュメントの内容を表示させることができる。これにより、会議参加者は、単に提示ドキュメントの内容を後から確認することができるだけでなく、提示されたドキュメントの内容を契機として会議の進行状況を振り返ることができる。図４（ｂ）は、一例として、画像データＩ３に対応するドキュメントが提示されて図４（ａ）に示す提示ドキュメントテーブルが記録された後に、再び画像データＩ１を最初に提示した会議参加者とは別の会議参加者が共通表示領域Ａ１に表示させた場合に、提示ドキュメント記録部５２が更新する提示ドキュメントテーブルの例を表す図である。なお、このように再び提示されたドキュメントについては、その内容を表す画像データを改めて取得する必要はなく、既に提示ドキュメント記録部５２が記録したドキュメントの画像データを参照することができる。
【００３６】
また、一つの提示ドキュメントが複数のページを含む資料である場合、提示ドキュメント記録部５２は、例えば資料の先頭ページなどの代表ページの内容を表す画像データを提示ドキュメントテーブルに記録することとしてもよいし、全てのページの内容を表す画像データを記録することとしてもよい。また、複数のページのうち、実際に共通表示領域Ａ１に一定時間以上表示されたページなど、提示時間が所定の閾値以上のページの情報のみを提示ドキュメントテーブルに追加することとしてもよい。これにより、単にドキュメントのデータを全て表示させる場合と異なり、実際に会議において議論されたと考えられるページを表示させることができ、会議参加者に会議の進行状況を容易に把握させることができる。
【００３７】
提示ドキュメント表示部５３は、提示ドキュメント記録部５２が記録した提示ドキュメントの内容を表す画像を、表示制御部１３を介して所定のアーカイブ表示領域Ａ０に一覧表示させる制御を行う。アーカイブ表示領域Ａ０は、具体的に、アーカイブ表示装置３０の表示画面の一部又は全部を占める表示領域である。常に決められた領域に提示ドキュメントを表示させることで、会議参加者は容易に会議において提示されたドキュメントを確認することができる。
【００３８】
提示ドキュメント表示部５３がアーカイブ表示領域Ａ０に提示ドキュメントの内容を表す画像を表示させる場合、通常は、提示ドキュメントテーブルを参照することで、全ての注目参加者が提示した提示ドキュメントを対象として、会議において提示された提示順に沿って、並べて表示する。例えば図１の例においては、画像Ｉ０、画像Ｉ１、及び画像Ｉ２は、この順に会議において提示された提示ドキュメントの内容を表す画像である。これにより、会議参加者は時系列に沿って提示されたドキュメントの内容を確認することで、会議の進行を振り返ることができる。
【００３９】
また、提示ドキュメント表示部５３は、表示される各ドキュメントの画像の位置、又は各画像間の間隔を、提示ドキュメント記録部５２が記録した提示時刻情報又は提示時間情報に基づいて決定してもよい。具体的に、提示ドキュメント表示部５３は、例えばある注目ドキュメントの画像を表示させた位置から、次のドキュメントの画像を表示させる位置までの間隔を、注目ドキュメントの提示時間に比例する距離になるように各ドキュメントの画像の表示位置を決定する。これにより、例えば提示された時間が長いドキュメントの画像は、次の提示ドキュメントの画像と離れて表示されることとなるため、会議参加者は会議において長時間議論されたドキュメントを直感的に把握することができる。
【００４０】
次に、会議参加者の指示操作により、アーカイブ表示領域Ａ０に表示された提示ドキュメントの画像を並べ替える場合の操作例について、図５の説明図に基づいて説明する。
【００４１】
まず会議参加者は、例えばタッチセンサがオーバレイされている自身の個人表示領域Ａ２に対して、画面上の所定の位置を指で触れたり、所定の文字や図形を描くように指で画面上をなぞったりすることで、制御装置１０に対してメニュー表示を指示する。図５（ａ）は、会議参加者が個人表示領域Ａ２に対してメニュー表示を指示する場面の一例を表しており、図中の破線はメニュー表示を指示する場合の会議参加者の指の動きを表している。
【００４２】
タッチセンサからメニュー表示の指示操作を受け付けた制御部１１は、表示制御部１３を介して、個人表示領域Ａ２にメニュー項目を並べたメニューバーやメニューアイコン等を表示させる。会議参加者は、表示されたメニュー項目を指で触れるなどの指示操作により、アーカイブ表示領域Ａ０に表示された画像の並べ替えを指示できる。図５（ｂ）は、表示されたメニューバーから会議参加者がユーザ順の並べ替えを指定する場面の一例を表している。このような指定により、制御部１１は、注目参加者ごとにソートした順序に提示ドキュメントの画像を並べ替えて、アーカイブ表示領域Ａ０に並べ替えた順序で表示させる。
【００４３】
続いて、アーカイブ表示領域Ａ０に表示された提示ドキュメントの画像を、任意に並べ替える場合の操作例について、図６の説明図に基づいて説明する。
【００４４】
まず会議参加者は、前述したメニュー項目を表示させて任意の並べ替えを指定するか、または他の所定の指の動きにより、任意並べ替えモードの指示を行う。図６（ａ）は、会議参加者が個人表示領域Ａ２に対して任意並べ替えモードの指示を行う場面の一例を表しており、図中の破線は当該指示を行う場合の会議参加者の指の動きを表している。
【００４５】
任意並べ替えモードの指示がなされた場合、制御部１１は、個人表示領域Ａ２に現在アーカイブ表示領域Ａ０に表示されている画像の縮小画像を表示させる制御を行う。このとき、縮小画像の表示位置を、会議室内のアーカイブ表示装置３０における提示ドキュメントの画像の表示位置に基づいて決定することとしてもよい。具体的には、個人表示領域Ａ２上のそれぞれの縮小画像の位置関係を、会議参加者から見たアーカイブ表示領域Ａ０上の提示ドキュメントの画像の位置関係と一致するような位置及び向きになるように縮小画像を表示させる。これにより、会議参加者は、アーカイブ表示領域Ａ０に表示されている画像のうち、自分が操作対象としたい画像に対応する縮小画像を、個人表示領域Ａ２上で容易に見つけることができる。図６（ｂ）は、このように個人表示領域Ａ２に縮小画像を表示させた場合の例を表している。なお、この状態で一定時間会議参加者が縮小画像を表示した領域に指を触れなければ、制御部１１は任意並べ替えモードを終了して縮小画像を画面上から消去させる。
【００４６】
会議参加者は、個人表示領域Ａ２に表示された縮小画像に対して、指で画面上をなぞるなどの指示操作を行うことにより、対応するアーカイブ表示領域Ａ０上の画像を移動させることができる。具体的には、個人表示領域Ａ２に表示された縮小画像の上に指を置いて、画面上で指を移動させ、提示ドキュメントの画像を表示させたい位置に対応する個人表示領域Ａ２上の位置で指を離すことにより、アーカイブ表示領域Ａ０上の提示ドキュメントの画像を移動させる。また、同様の操作により、縮小画像を選択して中央の所定の領域に指を動かすことにより、例えば選択した提示ドキュメントの画像を共通表示領域Ａ１に表示させることもできる。図６（ｃ）は、縮小画像の一つを共通表示領域Ａ１に表示させる場合の指示操作の一例を表しており、図中の破線は画面上の会議参加者の指の動きを表している。
【００４７】
なお、このようにして共通表示領域Ａ１に表示されたドキュメントは、再び会議において提示されたドキュメントとして提示ドキュメント記録部５２が記録する対象に含めてもよい。これにより、会議参加者は会議において一度提示されたドキュメントを容易に再び提示して議論することができるとともに、このような議論の過程を後に提示ドキュメントの表示により振り返ることができる。
【００４８】
以上説明した本実施の形態によれば、会議において提示されたドキュメントの内容を所定のアーカイブ表示領域に提示順に表示することで、会議において提示されたドキュメントを会議参加者に容易に把握させることができる。
【図面の簡単な説明】
【００４９】
【図１】本発明の実施の形態に係る会議システムの例を表す概要図である。
【図２】制御装置１０の構成例を表すブロック図である。
【図３】制御装置１０の機能を表す機能ブロック図である。
【図４】制御装置１０に記録される提示ドキュメントテーブルの一例を表す図である。
【図５】本発明の実施の形態に係る会議システムにおける操作の一例を表す説明図である。
【図６】本発明の実施の形態に係る会議システムにおける操作の別の一例を表す説明図である。
【符号の説明】
【００５０】
１  会議システム、１０  制御装置、１１  制御部、１２  記憶部、１３  表示制御部、１４  通信部、２０  会議用表示装置、３０  アーカイブ表示装置、５１  注目参加者選択部、５２  提示ドキュメント記録部、５３  提示ドキュメント表示部。
【図１】
2007179083.tif 000003
【図２】
2007179083.tif 000004
【図３】
2007179083.tif 000005
【図４】
2007179083.tif 000006
【図５】
2007179083.tif 000007
【図６】
2007179083.tif 000008